(57)【要約】【課題】従来の通風型の目隠し具は、通風性と遮蔽性を十分に得られないので、完全な通風効果とともに、遮蔽効果も得られる目隠しパネルを提供する。【解決手段】一定の大きさで、かつ、前後が開放された枠体２の内側に、３枚の羽根５を有する回転目隠し体６，６を複数個を回転自在に取り付けて成る前記枠体２に、既存のベランダＡや窓の桟Ｂや格子に固定できる、取り付け具１３を設けて成る建物の目隠しパネル１とする。【選択図】図１
2007100491.tif 000002
【特許請求の範囲】
【請求項１】
建物のベランダや窓に取り付ける目隠しであって、一定の大きさで、かつ、前後が開放された枠体の上下に複数個の軸穴を設け、その軸穴に、３枚以上の羽根を有する回転目隠し体を軸棒に回転自在に組み合わせた前記軸棒を、前記枠体の軸穴に取り付けた目隠しパネル本体を形成し、その目隠しパネル本体に、既存のベランダや窓の桟や格子に固定できる取り付け具を設けて成る構成を特徴とする建物の目隠しパネル。
【請求項２】
上記する回転目隠し体が組み合わされる軸棒に、ベアリングを介在して成る請求項１に記載する建物の目隠しパネル。
【請求項３】
上記する軸棒に組み合わせる回転目隠し体が、単独形成された回転目隠し体が複数個組み合わされて成る請求項１又は請求項２に記載する建物の目隠しパネル。
【発明の詳細な説明】
【技術分野】
【０００１】  本発明は、既存の建物の窓やベランダなどにおける、通風や採光を全く妨げることなく、外部からの視線を完全に防ぐことができる目隠しパネルに関する。
【背景技術】
【０００２】  従来より、建物のベランダや浴室には、外部からの視線を遮るための目隠し部材として、ベランダには不透明や半透明の合成樹脂板や簾を取り付けたり、浴室には各種のブラインドや目隠し具など取り付けて外部からの視線を遮っていた。【０００３】  さらに公知公開されるものとしては、ベランダのフェンス（柵）において、複数本の桟と多数の格子からなるフェンスに、前記する各格子を介して回転自在のブラインド板を取り付けることで、通風可能な目隠しを機構を備えた技術がある。（例えば、特許文献１参照）
【特許文献１】実用新案公開昭６２−７５１４６公報（第３−９頁、第１図）
【発明の開示】
【発明が解決しようとする課題】
【０００４】  上記するような目隠し部材や器具が提供され、それぞれ一定の目隠し効果はある。しかし古くから採用されている不透明や半透明の板や簾など取り付ける方法は、見た目にもあまり体裁の良いものではないうえ、板で覆う場合は通風性が損なわれたり、強風で剥れたりした。また専用のブラインドや目隠し具は、ユーザー自身が容易に取り付けられないなどの不便や欠点があった。【０００５】  さらに実用新案公開昭６２−７５１４６公報に開示される技術は、目隠し機能とともに通風を可能とするものであるが、ベランダを構成するフェンスに形成した多数の格子に、板状のブラインド板を備え、かつそのブラインド板それぞれの格子には連動するチェーンを掛け渡すことで、必要な時はレバー操作によってブラインド板を９０度範囲に回転できることにより、全開もしくは半開、又は前閉状態にして通風の調節ができる技術であるが、この調節はそのつど手動で行わなければならず、またブラインド板は２枚羽根状であるため、全開すると羽根の間から風も通るが、外部からの視線は遮れない。加えて、この目隠し機構は、ベランダのフェンスと一体形成されたものであるため、ユーザー個人が任意に取り付けたりできないなどの不便や欠点があった。
【課題を解決するための手段】
【０００６】  本発明は上記するような不便や欠点を解消するために、請求項１においては、一定の大きさで、かつ、前後が開放された枠体の上下に複数個の軸穴を設け、その軸穴に、３枚以上の羽根を有する回転目隠し体を軸棒に回転自在に組み合わせた前記軸棒を、前記枠体の軸穴に取り付けた目隠しパネル本体に、既存のベランダや窓の桟や格子に固定できる取り付け具を設けた建物用の目隠しパネルとすることで、既存のベランダや窓に任意の個数取り付けて外部からの視線を遮るとともに、通風性がきわめて高い目隠し部材とする。【０００７】  請求項２においては、上記する回転目隠し体が組み合わされる軸棒に、ベアリングを介在することで、弱い風でも軽く回転するものとする。【０００８】  請求項３においては、上記する軸棒に組み合わせる回転目隠し体が、単独形成された回転目隠し体を複数を個組み合わせることで、不透明や半透明又は色違いの組み合わせができる建物用の目隠しパネルとする。
【発明の効果】
【０００９】  本発明における目隠しパネルは、適度な大きさの枠体内に等間隔に取り付けた軸棒に、３枚の羽根を有する回転目隠し体を取り付けた目隠しパネルに、既存のベランダや窓の桟や格子に取り付けられる取り付け具を備えているので、ユーザー自身で容易に取り付けたり取り外しができるうえ、必要個数を任意な位置に取り付けられる。加えて、目隠しパネルの回転目隠し体は、風を受けるとスムーズに回転して風を通すため、きわめて通風性が良いことはもとより、例えば、風が止んで回転しない場合でも、回転目隠し体の羽根は３枚構成であるため、外部からの視線を完全に遮蔽することができる、従来に見られない機能的にしてユニークな目隠しパネルを提供する。【００１０】  さらに、実施例２タイプは、一本の軸棒に二つの回転目隠し体を組み合わせているので、風の強弱によってはそれぞれ単独に回転し、かつ、ベアリングも介在しているので、さらに滑らかに回転して風をスムーズに通過させられる。また二つの回転目隠し体は単独形成であるため、例えば上段は半透明とし、下段は不透明にしたり、また色違いの目隠し体を好みや用途に応じて組み合わせることで、装飾性や個性も表現できる目隠しパネルとすることも可能である。
【発明を実施するための最良の形態】
【００１１】  既存のベランダの桟や窓の格子に取り付けられる目隠しパネルとするために、適度な大きさの枠体内に設けた複数本の軸棒に、３枚の羽根を有する回転目隠し体を回転自在に取り付けた目隠しパネルに、桟や格子に固定できる取り付け具を設けたものとする。
【実施例１】
【００１２】  本発明による実施例１の目隠しパネルを、図１に示す一部欠損した斜視図と図２に示す回転目隠し体の斜視図、図３に示す取り付け具部分の拡大斜視図及び図６のベランダの桟に取り付けた状態を示す参考図で説明する。【００１３】  実施例１の目隠しパネル１は、適度な大きさで矩形状を成し、かつ、前後が開放された枠体２の上下に複数個の軸穴３，３を等間隔に設け、その軸穴３に、合成樹脂又は軽金属素材による軸管４に３枚の羽根５を一体形成した回転目隠し体６に軸棒７を組み合わせたうえで、前記する枠体２の軸穴３に、隣り合う羽根５が接触しない間隔で複数個取り付けた目隠しパネル１を形成する。さらに、その目隠しパネル１の枠体２後部には、一方側に凹部８とネジ穴９を有する二枚の挟み板１０，１０を向かい合わせたものに、締め付けネジ１１，１１とナット１２を組み合わせた取り付け具１３を、前記する枠体２に止めネジ１４で固定して成る目隠しパネル１を構成する。尚、枠体２の軸穴３に収めた軸棒７端部は見えるように図示しているが、通常は雨水や埃が侵入しないようにカバーされるものとする。【００１４】  実施例１の目隠しパネル１は、前後が開放され枠体２の中に羽根５を付けた回転目隠し体６を回転自在に複数個を取り付けているので、弱い風でも羽根に当たると軽く回って風は通過する。また羽根５は等間隔に３枚付いているので、例え、無風で回転しなくても、対向側を見通すことができない遮蔽効果を得る。さらに目隠しパネル１の枠体２の後部には取り付け具１３を設けているので、既存のベランダＡの桟Ｂに取り付ける場合は図３に示すように、締め付けネジ１１を取り外した後に二枚の挟み板１０，１０の凹部８側を少し広げてから、前記するベランダＡの桟Ｂに凹部８を差し込んだ後、締め付けネジ１１とナット１２をもって締め付けると容易に固定できるので、図６に示すように既存のベランダＡにユーザー自身で好きな位置に任意の個数取り付けられる目隠しパネル１である。
【実施例２】
【００１５】  実施例２の目隠しパネルを、図４に示す斜視図と図５に示す回転目隠し体の分解斜視図で説明する。
実施例２による目隠しパネル１は取り付け具１３を省略した図であり、基本構成は前記実施例１と同じであるが、枠体２の上下に等間隔に設けた軸穴３，３には、一本の軸棒７に約半分の長さの回転目隠し体６，６の二本を、ベアリング１５を介在して回転自在に組み合わせた回転目隠し体６を、前記枠体２の軸穴３，３に取り付けて成る目隠しパネル１を構成する。【００１６】  実施例２における目隠しパネル１は、基本的には実施例１と同じであるが、枠体２内に収める回転目隠し体６，６は、単独形成された半分の長さのものを二つ組み合わせているので、二つの回転目隠し体６，６は単独に回転する。さらに二つの回転目隠し体６，６の間にはベアリング１５を介在しているので、よりスムーズに回転をするとともに、上下の回転目隠し体６，６は単独であるので、それぞれ不透明や半透明、又は色違いの組み合わせができる目隠しパネル１を形成することが可能である。【００１７】  本発明の目隠しパネル１の枠体２に設ける取り付け具１３は二枚の挟み板１０，１０に締め付けネジ１１を設けているので、ベランダや窓の桟や格子に取り付けられるが、これ以外のどんな取り付け具や手段でもよく、溶接で取り付けてもよい。また必要なら初めからベランダの桟や窓の格子に一体に形成してもよい。さらに、回転目隠し体６の羽根は３枚であるが４枚でも構わないし、軸棒７に組み合わせる回転目隠し体６の数も任意個数である。加えて、回転目隠し体６は軸棒７に回転自在に組み合わされているが、回転目隠し体６と軸棒７が一体形成されたものが、枠体２の軸穴３に回転自在に組み合わせる手段でも差し支えず、いずれも特に限定されるものではない。
【図面の簡単な説明】
【００１８】
【図１】実施例１の目隠しパネルを示す斜視図である。
【図２】実施例１の回転目隠し体を示す拡大斜視図である。
【図３】実施例１の目隠しパネルの取り付け具を示す拡大斜視図である。
【図４】実施例２の目隠しパネルを示す斜視図である。
【図５】実施例２の回転目隠し体を分解した拡大斜視図である。
【図６】実施例１の目隠しパネルを既存のベランダに取り付けた参考である。
【符号の説明】
【００１９】  １  目隠しパネル
２  枠体
３  軸穴
４  軸管
５  羽根
６  回転目隠し体
７  軸棒
８  凹部
９  ネジ穴
１０  挟み板
１１  締め付けネジ
１２  ナット
１３  取り付け具
１４  止めネジ
１５  ベアリング
Ａ  ベランダ
Ｂ  桟
【図１】
2007100491.tif 000003
【図２】
2007100491.tif 000004
【図３】
2007100491.tif 000005
【図４】
2007100491.tif 000006
【図５】
2007100491.tif 000007
【図６】
2007100491.tif 000008